(57)【要約】【課題】本発明では外枠構造の中で幕板及びその化粧板において幕板を板金の一体構造と幕板をラワンで装飾化粧板のみを板金構造にして、取り付け、取り外しが簡単に出来る装飾板の構造とした。【解決手段】外枠本体10において、幕板のみ交換可能にした鋼板製幕板13及び化粧板兼用形16に置き換えること又、幕板のみの交換で絶えず綺麗な装飾板に取り替えられ、幕板本体13は木製として現行の化粧板ではデコラ材又はメラミン合板を採用している個所を装飾化粧板金にして、小ロットの交換及び入替えの際、コストが安く納期的にも早い、鋼板製の幕板化粧板金として形成した。【選択図】図1
2005237511.tif 000002
【特許請求の範囲】
【請求項１】
パチンコ遊技機の外枠において在来は殆どが木製（主にラワン材）が採用されているが、この外枠構造において左右縦側板は木製であるがこの下部に位置する幕板及び化粧板を鋼板で木製縦板と連結した状態でブラケット（蝶番）が鋼板製の一体構造であることを特徴とするパチンコ遊技機外枠。
【請求項２】
請求項1記載のパチンコ遊技機の幕板及び化粧板においてメラニン合板、デコラ材に替わりメッキ、塗装が自由な装飾化粧板金としたことを特徴とし小ロット及び短納期を可能としたパチンコ遊技機外枠構造。
【請求項３】
請求項2記載の外枠の幕板に直接スピーカの音声が外部に聞こえる様この幕板及び化粧板金に無数の穴をあけて部品点数を減らしたことを特徴とした事を特徴としたパチンコ遊技機。
【請求項４】
請求項3のスピーカ対応の化粧板金に対しスピーカ板金のみ別途加工形成したスピーカ板金を幕板土台に及び化粧板金に後付けで下幕板の所定の位置に取り付け可能としたパチンコ遊技機。
【発明の詳細な説明】
【技術分野】
【０００１】
本発明は、パチンコ遊技機の外枠構造において木製で矩形の木枠で構成され組み立てられ、この外枠構造の下部には幕板と称しメラニン合板或いはデコラ材からなる化粧板を鋼板製での取り付けをも可能とした外枠構造に関する。
【背景技術】
【０００２】
従来、パチンコ遊技機において一般的にパチンコ遊技機は縦長の矩形に形成された外枠本体との遊戯盤を構成するための矩形の外枠に納められ開閉可能な前面枠とこれに遊技面盤と制御機器が搭載されているが、外枠の下部に横方向に細長く幕板（若しくは腰板）の名称で構成している。従来はこの幕板は前面枠の取り替えに合せて取り替えていた。又近年化粧板にはメラニン合板又はデコラ板を取り付け張り合わせて装飾板として形成されている。
【０００３】
近年はパチンコ遊技機のリユ−ス及びリサイクルが可能なる事が義務付けられているに伴もない、台メーカ各社は工夫・改善を余儀なくされているのが実情で、蝶番などの金具固定に対しても木製の枠に固着されているが、１部の方法ではカシメ機よるカシメ方法では取り外し際して大変なに労力が係りリユースと言う点ではこれらの構造では余り歓迎された方法ではない。
【０００４】
又、現行の外枠は下部に固定される幕板本体に例えばメラミン合板を貼り合わせ、構成されているがＲｅｃｙｃｌｅの観点よりラワン材で釘又は鋲カシメで組み立てられているものが主に生産されている。
このような外枠構造では新台入替え又は新設の場合でも化粧板が本体のデザインに合うに設定されているのに対し交換する際に本体の取り替えだけですむものを本体のデザインに合せ取り替えが全て新枠に交換しているのが実情である。
【０００５】
この幕板前面に貼り合わせ形成しているの化粧板のデザインはゲーム内容に合せ、その都度、新外枠に交換している。しかし乍、業界の木材等の資源削減が、業界の方針である、3Ｒ即ちＲｅｄｕｓｅ、Ｒｅｕｓｅ、Ｒｅｃｙｃｌｅの早期実施を各メーカに推進しているも遅々として進まないのが現実である。
【０００６】
そこで、本発明はこれらの具体的な事柄の解決に向け在来のものと併用し、双方の利点を鑑み、これからの環境に優しい、3Ｒの推進に少なからず寄与する1つの方策として本提案を行い、遊技盤のデザインに合せた化粧板にすることが可能である板金による化粧板金にすることにより、衣変えが簡単に行える構造とした。
【発明の開示】
【発明が解決しようとする課題】
【０００７】
従来のパチンコ遊技機では各パチンコ遊技店では、新台の入替え時及び前面枠交換の際、本来前面枠の入替えだけで充分であるがゲーム性等を鑑み前面枠及びそれに係わる見栄えの点で前面枠と幕板、化粧板も全て取り替えていた、このために大幅な労力とコストを無駄にしていた。又遊技者がタバコ等でこの化粧板にいたずらをしたりして穴をあけたり、焦がしたりしているのが少なからずある事も確認されている。こうした場合に化粧板の装飾の観点より好ましくない上、次の遊技者が不愉快な思いをする場合があったが、さりとて遊戯店ではその都度取り替えて台の調整など煩わしいのと労力を強いられていた。
【０００８】
本発明は上述の問題点を注視し、このトラブルに対し遊技機の台、又は前面枠の全体を入替え、若しくは取り替えが無いように当該の幕板のみ取り替えが出来るような構造にし、デザイン及び色の点を重視した化粧板とした幕板を鋼板製にすることならびに幕板土台にこれに覆いかぶさる装飾化粧板金採用により部品点数の大幅に削減でき組み立て及び解体作業も簡単に出来るのでリデース、リサイクル、リユースの観点からも大きく期待が出来る。
【０００９】
本発明は以上のような事情を鑑み幕板としての機能だけではなく装飾化粧板としての機能と双方兼ね備えた幕板+化粧板の新しい機構として省資源化を図った構造としても期待出来る。
又本発明でラワン材（又樹脂成形品）を鋼板製に置き換えることにより多少重量的に増える部分があるが凹凸構造の形成で構造を簡単にすることが可能である。
【００１０】
本発明はもう１つ幕板を従来の木材ラワン（ベニヤなど）の上に鋼板製の化粧板をネジ止め可能とした構造で対応し双方の利点を兼ね備えたパチンコ遊技機を提供するものである。
【課題を解決するための手段】
【００１１】
上記課題を解決するための手段として、外枠が各社同様な寸法で構成されている矩形枠の下部に横方向に貼り合わせた幕板の前面を化粧板として覆い被せてほぼ同一寸法で板金のみで構成された場合は対応する地板と係る板金の固定用の取り付け穴数箇所設置されており、地板（底板）にネジで固定するようになっている、そして強度面で1.2ｍｍ前後の板厚さにして木製の強度を維持出来る構造にした。
【００１２】
又、上述の固定方法に加え左右の側板２１及び２２、地板２０（底板）化粧板金と固定する為の当て板１３ａ及び１３ｂを裏面よりネジで固定する方法で当て板１３ａ及び１３ｂを左右に具備すると更に頑丈に装着が可能である。
【００１３】
地板２０は従来の寸法そのまま使用するので、各遊戯店で島への設置は従来と同じ方法で所定の位置に固定が可能である。
更に現行の島の取り付け方法より、天板２３、地板２０に木材（ラワン材）を使用して外枠を形成することで今まで通りの遊技機の運搬面でも在来通りの方法が可能とした鋼板と木材とを併用したのが本発明の最も主眼とした発明点でもある。
【００１４】
又、もう１つの方法において化粧板金１６と幕板本体１５とを同程度の寸法で仕上された幕板本体１５ｃにガイドする様に板金で構成された装飾化粧板１６ｃを幕板本体１５の上面よりはめ込む方法で幕板本体１５と装飾化粧板１６固着し、更にネジ１６ｄで数箇所取り付けるような構造にしている。
この場合では幕板化粧板金１６の任意の個所に複数若しくは対称にスピーカ用の穴１５ａ若しくは１６ａを設けた図３の１３ｅの様に無数にパンチしたもので構成しているものをとラワン（又はベニヤ）に対応したもので構成した構造を採っている方法可能である。
この場合幕板１５にも化粧板金のスピーカの穴に対峙した形態で構成も可能としている。
【発明の効果】
【００１５】
以上の説明したように、本発明の効果は資源の削減Ｒｅｄｕｓｅ，再生Ｒｅｃｙｃｌｅ、再利用Ｒｅｕｓｅと何れにも対応した外枠で有り、在来の方式図７では化粧板（メラミン合板）又デコラ板での幕板２６に構成されている為ゲーム性次第で幕板のデザインを換える事無く最終出荷段階ではめ込みが可能になることが大きなメリットとなる。
又遊戯店で化粧板が損傷した場合で、余儀なく取り替えざるを得ない状況置かれた場合、下蝶番を取り外し、簡単にはめ込みが可能である。部材をあてがい板金と板金とで側板をはさみ込む状態で蝶番をネジ込みを行い、カシメ方法によらないで連結し、廃棄する際ネジを緩め解体作業に従来に比べ大変な労力を掛けずして作業を進めることが出来る。
【発明を実施するための最良の形態】
【００１６】
以下本発明のパチンコ遊技機での実施形態を図面とともに説明する。
図3では幕板１３と装飾化粧板を同一板金で一体構造にすることにより連環部の作業が容易になる様、強度を損なわず実現した凹凸状の構造で剛性を増した状態にした方法で、又幕板とそれを幕板化粧板金で前面側を覆う形態での方法が考えられる。
【実施例１】
【００１７】
本発明の実施形態について図面に基づいて説明する。
図1では本発明の1例で幕板を直接化粧板金の外枠構造を示し幕板１３を取り付けた平面図を示す。
図2では外枠構造の幕板+化粧板金の併用構造で実施例の全体斜視図を示す。
図3では図1で示した幕板１３が化粧板金と同一鋼板で構成した部品構成の斜視図である。
図4では幕板１５に装飾化粧板１６を嵌めこんだ構成の斜視図を示す。
図5では幕板１５に板金の化粧板１６を示す断面図で幕板１５ｃの溝に16ｃ部を上方向からスライドし嵌めこみ状態図を示す。
図6では幕板本体１5に上方向から装飾化粧板１６を対峙する両端の溝ぶそれぞれ１５ｃと１６ｃにはめ込む状態で外枠１０の地板に取り付ける順を示す斜視図を表す。
図７では従来現行の外枠でデコラ板２６を貼り付けた状態図を示す。
図２ではパチンコ遊技機の外枠１０であり、左縦支柱測板２２、は右縦支柱測板２１、下部地板２０、上部天板２３と下部幕板１３、等を有し基本的に構成されている。
該外枠１０の一測に上下に前面枠を開閉装着される前面枠の枢着可能なる様に取り付け２２の左縦支柱側板に１９ｂのネジよって締付られ、又１９の他方には幕板に固定できる１９ｃによって締付を行っている。
図3では実施例の１つとし該外枠1０に幕板１３は化粧板と兼用板金の構造を示し、板金の表面にデザインに合せたメッキ塗装などによる華やかな色合いにせしめ、各連結部に係留し、更に固着を完全にする為の１３ａと１３ｂからなる木片の当て板１３ａ及び当て板１３ｂでサポートし支えに連結部にネジで締付られる様な方法を取っている。
【００１８】
図4では木製からなる幕板15とそれに覆いかぶさるような装飾化粧板金１６を装着可能とした、１例を示す、この場合では必要に応じて遊戯に大きな要素であるゲームの臨場感をもたらすスピーカの出力位置を下部のスペースを有効に利用も可能なる様にした図を示す１例である。（又スピーカの無いのも実施例もある。）
この場合幕板に１５ａの穴を設け、化粧板金である１６にも対峙する様に同等の穴を設けることが可能である。
この穴には図６の１７に示すスピーカ用の板金を入れ子式に装着も可能であるが、１６の表面に直接プレス機でφ1〜φ2程度の穴を出力音声に合せ無数に設け音色を調整出来るようにした１体構造も実施可能である。
各部連結によって外枠の矩形(長方形状)の形状が完成するが、連結が簡単でしかもＲｕｓｅ，Ｒｅｃｙｃｌｅに沿った外枠おいては様々な組み合わせも容易に可能である。
【００１９】
図5では、本発明の幕板本体に化粧板金を組み立てたの構造断面図あるが、ここでは幕板本体のＶ状に溝を形成１５ｃにし１６ｃ部に直接にはめ込んだ状態図であり１５の斜面部に１６ｄのネジで係留を可能としている。
図6では本考案の最も主眼とした、化粧板金１６と幕板本体となる１５に対し両端に形成された印籠溝15ｃを有し化粧板金16ｃがそれぞれ連結される構造を示している。  この場合図示ように上方向スライドが可能である、この場合のネジが無い方法も同時可能であるが、両端部には着脱可能なる係止爪を有し幕板本体に係留可能としている。
【００２０】
以上に示すとおり本発明により目まぐるしく動くパチンコ遊技機のゲーム内容の交換時に合せ、外枠全体を交換するのではなく、遊戯盤の内容に添った幕板+化粧板とする事が出来、リユースが何回でも可能になる。又一方セキュリテーの面からも前面幕板部を板金仕上げの化粧板にメッキ或いは塗装によりその都度色変えが可能となる。
【産業上の利用可能性】
【００２１】
主要の部材である本発明では鋼板製で実施することで木材の削減効果は、外枠全体の20％程度では有るが新台入替え及びゲーム内容の交換時には従来は外枠全体を交換していたが、本発明により外枠の飾り板である幕板を取り替えずに前面に当たる化粧板のみを取り替えてリユースを可能とすれば、パチンコ産業だけの問題ではなく、少なからず森林資源の削減にも繋がる。更にはＲｅｕｓｅ及びＲｅｃｙｃｌｅが促進される。
又、木材資源のＲｅｄｕｓｅ（削減）により環境問題、地球温暖化、酸性雨等の諸問題が緩和されることが期待できる。
【図面の簡単な説明】
【００２２】
【図１】実施例で示しているパチンコ遊技機外枠構造の下部を示す平面図。
【図２】実施例で示している外枠の全体の斜視図。
【図３】実施例で示している外枠の各部品の取り付けを示す分解斜視図。
【図４】板金化粧板と幕板の関係を示す斜視図。
【図５】化粧板金にスピーカを取り付け可能とした実施例の斜視図。
【図６】実施例に示している板金の取り付け分解斜視図。
【図７】従来の現行外枠斜視図。
【符号の説明】
【００２３】
10  パチンコ遊技機の外枠全体。
12  板金型化粧板。
13ａ当て板ａ
13ｂ当て板ｂ
13ｃ当て板係留ネジ
14  外枠上の天板
外枠の幕板
15a幕板のスピーカ穴
15ｂ滑り台取り付け溝
15ｃ化粧板金取り付け溝
化粧板金
16a化粧板金スピーカ設置位置穴
スピーカ板金単品
スベリ台
下蝶番セット
19a下蝶番枢軸
19ｂ下蝶番止めネジ
19ｃ下蝶番係留ネジ
20  地板
21  縦支柱側板左
22  縦支柱側板右
23  天板
24馬爪板金
25上蝶番
26現行の幕板メラニン合板
【図１】
2005237511.tif 000003
【図２】
2005237511.tif 000004
【図３】
2005237511.tif 000005
【図４】
2005237511.tif 000006
【図５】
2005237511.tif 000007
【図６】
2005237511.tif 000008
【図７】
2005237511.tif 000009